(57)【要約】【課題】構成の大型化や複雑化さらには画像形成時間以外に画像形成処理以外の時間を設けないで済ませることができる構成を備えた画像形成装置を提供する。【解決手段】像担持体に担持されたトナー画像を記録媒体に転写する転写装置を備え、該記録媒体の給送部として、予め装置内に装備されている定型サイズ用の収容部と、該定型サイズ以外の記録媒体を給送可能な手差し給送部とを備えた画像形成装置１において、手差し給送部５から給送された記録シートＳの搬送方向サイズが画像における該当方向サイズより小さい場合には、画像領域のうちで、記録媒体が存在しない領域が上記転写部材と対向しながら移動する間の時間を対象として、転写用バイアスを転写時とは異なる状態に切り換え変更する構成１００を備えていることを特徴としている。【選択図】図６
2012118136.tif 000002
【特許請求の範囲】
【請求項１】
像担持体に担持されたトナー画像を記録媒体に転写する転写装置を備え、該記録媒体の給送部として、予め装置内に装備されている定型サイズ用の収容部と、該定型サイズ以外の記録媒体を給送可能な手差し給送部とを備えた画像形成装置において、
上記転写装置は、上記像担持体に接触する転写部材と、該像担持体と転写部材との接触位置に相当する転写部に電界を形成して該像担持体に担持されているトナーを上記記録媒体に向け転写する電界形成装置を備え、
上記電界形成装置には、上記転写部に印加する転写バイアス切り換え手段が設けられ、該転写バイアス切り換え手段は、上記手差し給送部からの記録媒体の搬送方向サイズが上記像担持体上での画像の該当方向サイズと異なり、少なくとも、像担持体側での画像領域に対応する領域に記録媒体が存在しない場合には、画像領域のうちで、記録媒体が存在しない領域が上記転写部材と対向しながら移動する間の時間を対象として、転写用バイアスを転写時とは異なる状態に切り換え変更する構成を備えていることを特徴とする画像形成装置。
【請求項２】
上記転写バイアス切り換え手段は、上記像担持体への画像形成制御処理を行う制御部に接続され、
上記制御部は、上記手差し給送部から給送される記録媒体の搬送方向サイズを検知可能なサイズ検知手段および画像形成処理部が入力側に接続され、出力側には上記転写バイアス切り換え手段が接続され、
上記手差し給送部から連続給送される記録媒体の搬送方向サイズ画像担持体上の画像における該当方向でのサイズよりも小さい場合に、該記録媒体が存在しない上記画像の該当方向での領域を対象として転写時とは逆極性のバイアス印加に切り換えると共に、該手差し給送部からの連続給紙が行われた場合で記録媒体の搬送方向サイズが上記画像での該当方向サイズよりも小さいと判断したときには転写対象となる画像形成を一旦停止し、上記手差し給送部において上記画像の該当方向サイズに対応した搬送方向サイズを有する記録媒体に交換されるまでの間、警告を行い、上記画像サイズに対応する搬送方向サイズを有する記録媒体に交換されて手差し給紙の再開指令が入力された時点で転写対処となる画像形成を再開することを特徴とする請求項１記載の画像形成装置。
【請求項３】
上記制御部は、手差し給送部から連続給送される記録媒体の搬送方向サイズが画像における該当方向サイズよりも小さい場合に転写対象となる画像形成を一旦停止した後、手差し給送部から画像サイズに対応した搬送方向サイズを有する記録媒体に交換されて手差し給紙の再開指令が入力されると、一旦停止した時点での画像を対象として転写を実行することを特徴とする請求項２に記載の画像形成装置。
【発明の詳細な説明】
【技術分野】
【０００１】
本発明は、画像形成装置に関し、さらに詳しくは、可視像を記録シートなどの記録媒体に転写する機構に関する。
【背景技術】
【０００２】
周知のように、電子写真方式を用いる複写機やプリンタあるいは印刷機などの画像形成装置においては、潜像担持体である感光体上に形成された静電潜像が現像装置から供給される現像剤によって可視像処理される。
可視像処理されたトナー像は転写材に転写された後、定着装置による加熱・加圧によってトナーが融解・浸透することで定着されて複写画像とされる。
【０００３】
画像形成装置においては、単一色だけでなく、フルカラーなどの複数色の画像を形成する構成を備えたものもあり、この場合には、複数の作像部において形成された異なる色の画像をベルトなどの中間転写体に対して順次転写（１次転写）したうえで、重畳画像を記録シートなどの記録媒体（以下、便宜上、記録シートと称する場合もある）に対して一括転写（２次転写）する方式を用いることがある。
【０００４】
ところで、１次転写において中間転写体に重畳転写された画像は、予め、その画像サイズに応じて選択された記録媒体（以下、便宜上、記録シートと称する場合もある）に転写されるのが一般的であるが、例えば、定型サイズの記録シートを収容している既存部材の給紙カセットからではなく、手差し給紙トレイから、重畳転写された画像サイズに対して誤って搬送方向サイズが小さい記録シートが給送されることがある。
この場合には、記録シートの搬送方向後端が転写位置を通過した後も、転写されるべき画像が中間転写体に存在し、この画像に含まれるトナーが転写部材に転移してしまう虞がある。
【０００５】
トナーが転写部材に転移すると、次に転写位置に向けて給送されてくる記録シートの裏面にトナーが付着して裏汚れを発生させることになる。
従来、このような不具合を解消する対策として次の方法が知られている。
（ア）転写部材にクリーニング機構を設ける（例えば、特許文献１，２）。
（イ）手差し給紙トレイ側にサイズ検知センサを設ける。
（ウ）手差し給紙トレイから給送される記録シートのサイズを予め入力しておく。
（エ）（イ）を用いて画像サイズと記録シートとサイズとが不一致であることを検知した場合には装置の可動を停止する。
【発明の概要】
【発明が解決しようとする課題】
【０００６】
しかし、転写部材側にクリーニング機構を設けた場合には、構成が大型化するばかりでなく、転写部材に付着したトナーの除去時間が必要となる。このため、画像形成装置での構成の複雑化や大型化を招くと共に実際の画像形成に要する時間以外の除去時間を加えることで画像形成装置のランタイムが増大する虞がある。
【０００７】
本発明の目的は、上記従来の画像形成装置、特に、転写部材へのトナー付着による裏汚れを防止する構成における問題に鑑み、構成の大型化や複雑化さらには画像形成時間以外に画像形成処理以外の時間を設けないで済ませることができる構成を備えた画像形成装置を提供することにある。
【課題を解決するための手段】
【０００８】
この目的を達成するため、本発明は次の構成よりなる。
（１）像担持体に担持されたトナー画像を記録媒体に転写する転写装置を備え、該記録媒体の給送部として、予め装置内に装備されている定型サイズ用の収容部と、該定型サイズ以外の記録媒体を給送可能な手差し給送部とを備えた画像形成装置において、
上記転写装置は、上記像担持体に接触する転写部材と、該像担持体と転写部材との接触位置に相当する転写部に電界を形成して該像担持体に担持されているトナーを上記記録媒体に向け転写する電界形成装置を備え、
上記電界形成装置には、上記転写部に印加する転写バイアス切り換え手段が設けられ、該転写バイアス切り換え手段は、上記手差し給送部からの記録媒体の搬送方向サイズが上記像担持体上での画像の該当方向サイズと異なり、少なくとも、像担持体側での画像領域に対応する領域に記録媒体が存在しない場合には、画像領域のうちで、記録媒体が存在しない領域が上記転写部材と対向しながら移動する間の時間を対象として、転写用バイアスを転写時とは異なる状態に切り換え変更する構成を備えていることを特徴とする画像形成装置。
【０００９】
（２）上記転写バイアス切り換え手段は、上記像担持体への画像形成制御処理を行う制御部に接続され、
上記制御部は、上記手差し給送部から給送される記録媒体の搬送方向サイズを検知可能なサイズ検知手段および画像形成処理部が入力側に接続され、出力側には上記転写バイアス切り換え手段が接続され、
上記手差し給送部から連続給送される記録媒体の搬送方向サイズが像担持体上の画像における該当方向でのサイズよりも小さい場合に、該記録媒体が存在しない上記画像の該当方向での領域を対象として転写時とは逆極性のバイアス印加に切り換えると共に、転写対象となる画像形成を一旦停止し、上記手差し給送部において上記画像の該当方向サイズに対応した搬送方向サイズを有する記録媒体に交換されるまでの間、警告を行い、上記画像サイズに対応する搬送方向サイズを有する記録媒体に交換されて手差し給送の再開指令が入力された時点で転写対象となる画像形成を再開することを特徴とする（１）記載の画像形成装置。
【００１０】
（３）上記制御部は、手差し給送部から連続給送される記録媒体の搬送方向サイズが画像における該当方向サイズよりも小さい場合に、転写対象となる画像形成を一旦停止した後、手差し給送部から画像サイズに対応した搬送方向サイズを有する記録媒体に交換されて手差し給紙の再開指令が入力されると、一旦停止した時点での画像を対象として転写を再開することを特徴とする（２）記載の画像形成装置。
【発明の効果】
【００１１】
本発明によれば、手差し給送部から給送される記録媒体の搬送方向サイズが像担持体上の画像における該当方向サイズよりも小さい場合には、記録媒体の存在しない画像領域を対象として転写バイアスが転写時と異なる状態に切り換えられ、特に、転写時でのトナーの転移方向と逆方向に切り換えるようになっている。これにより、画像が存在しない領域のトナーは転写部材側から反撥されるので転写部材へのトナーの付着が抑制されて記録媒体の裏汚れを防止することができる。この結果、転写部材に対するクリーニング機構などを必要としないで済むので、装置の大型化やランニングタイムの増加を抑えることが可能となる。
【図面の簡単な説明】
【００１２】
【図１】本発明に係る画像形成装置の構成を説明するための模式図である。
【図２】図１に示した転写にかかる構成での作用を説明するための図である。
【図３】図２に示した従来構成での不具合を説明するための図である。
【図４】図３に示した不具合の発生状態を転写部を拡大して示す図である。
【図５】図３に示した転写部での作用を説明する拡大図である。
【図６】本発明による画像形成装置の要部構成およびその作用を説明するための図である。
【図７】図６に示した画像形成装置に用いられる制御部の構成を説明するためのブロック図である。
【図８】図７に示した制御部で実行される転写バイアス切り換え状態を説明するためのタイミングチャートである。
【図９】図７に示した制御部により実行される第１の制御に関するフローチャートである。
【図１０】図７に示した制御により実行される第２の制御に関するフローチャートである。
【発明を実施するための形態】
【００１３】
以下、図に示す実施例により本発明の実施の形態について説明するが、その前に、従来の画像形成装置における転写工程および不具合について説明する。
図１は、従来の画像形成装置を説明するために本発明の実施例に用いる画像形成装置を示す図であり、同図に示す画像形成装置１は、中間転写体として用いられる転写ベルト１Ａの展張方向に沿って複数の作像部を並べて配置したタンデム方式の画像形成装置である。
同図において画像形成装置１は、１次転写装置に用いられる中間転写ベルト１Ａの展張方向に沿って異なる色の画像形成が可能な作像部が設けられ、各作像部には、図示しない書込機構や現像装置により形成されたトナー像を担持する感光体ドラム１Ｙ，１Ｍ，１Ｃ，１Ｂｋが装備されている。
一方、中間転写ベルト１Ａを挟んで各感光体ドラムと対向する位置には、感光体ドラムからの画像を中間転写ベルト１Ａに転写する転写装置２Ｙ，２Ｍ，２Ｃ，２Ｂｋが配置されている。
中間転写ベルト１Ａは、複数のローラ１Ａ１，１Ａ２に掛け回されて図示矢印方向に移動するようになっており、各作像部での画像転写を終えて移動する位置には、一方のローラ１Ａ１と対峙する２次転写装置としての２次転写ローラ３と対向している。
中間転写ベルト１Ａと２次転写ローラ３とが対向する位置は、中間転写ベルト１Ａに重畳転写された画像を一括転写する転写部に相当しており、この転写部に対して給紙装置４から繰り出される記録媒体の一つである記録シートＳに対して重畳画像が一括転写される。一括転写を終えた中間転写ベルト１Ａは、クリーニング装置１Ｂにより残留トナーを除去されて清浄化される。
記録シートＳは、転写部に向けて定型サイズの記録シートを収容している給紙カセット４Ａを備えた給紙装置４の他に、定型サイズ以外のものが手差し給送部５から給送できるようになっている。
転写部において中間転写ベルト１Ａから重畳画像が一括転写された記録シートＳの搬送路には、定着装置６が配置されており、記録シートＳに転写された画像が加熱定着されて図示しない排出部に向けて排出されるようになっている。
上述した手差し給送部５は、画像形成装置１の壁面の一部を開閉可能に設けた手差しトレイ５Ａおよび手差しトレイ５Ａにおける記録シート繰り出し側に設けられた繰り出しローラ５Ｂで構成され、任意サイズの記録シートが載置されると、転写部に向けて繰り出せるようになっている。給紙カセット４Ａおよび手差しトレイ５Ａのいずれかから繰り出された記録シートＳは、転写部に至る前にレジストローラ７によってレジストタイミングを設定されたうえで転写部に向けて給送される。
一方、図２（Ａ）に示すように、手差しトレイ５Ａには、載置された記録シートの搬送方向（図２（Ｂ）において矢印で示す方向）でのサイズを検知するサイズ検知センサ（便宜上、符号８’で示す）が設けられている。  
サイズ検知センサ８’は、手差しトレイ５Ａから給送される記録シートの全てのサイズを対象として検知し、例えば、中間転写ベルト１Ａに担持されている画像サイズと記録シートサイズとの整合性をチェックできるようになっている。このため、手差しトレイ５Ａは、記録シートの搬送方向サイズに対応すべくかなりの長さを持つものであり、これが装置の大型化に繋がる。
そこで、図２（Ｂ）に示すように、手差し給送部５からの記録シートの搬送路と給紙装置４からの記録シートの搬送路とが合流する位置、つまり、レジストローラ７の手前側の位置にサイズ検知センサ（便宜上、符号８で示す）を配置し、図２（Ｃ）に示すように、両方の搬送路を対象として記録シートのサイズ検知を行えるようにする構成が考えられる。サイズ検知センサ８は、光学センサなどが用いられ、記録シートの搬送速度と予め入力されているサイズとに基づく移動時間を検知することで実際に搬送されている記録シートのサイズを検知できる構成が用いられている。
この構成では、手差しトレイ５Ａ側にサイズ検知を備えないことにより、手差しトレイ５Ａのサイズを大型にしなくて済む。
一方、転写部では、中間転写ベルト１Ａに担持された重畳画像を記録シートＳに向けて転移させるための転写バイアスが印加されるようになっている。
図３は、転写部での構成および作用を説明するための図であり、同図において、中間転写ベルト１Ａが掛け回されているローラの一方、つまり転写部材としての２次転写ローラ３と対向するローラ１Ａ１には、担持したトナーの極性と同極性のバイアスが印加されており、中間転写ベルト１Ａに担持されているトナー像を記録シートＳに向けて飛翔させて転写するようになっている。このときの転写バイアスは、図３（Ｂ）に示すように、中間転写ベルト１Ａの移動方向、つまり、転写部で記録シートの搬送方向と平行する移動方向に沿った画像領域幅をカバーできる印加時間を設定されている。
図４は、上記構成の画像形成装置における不具合を説明するための図であり、同図には、転写部材として用いられる２次転写ローラ３へのトナーの転移による記録シートＳへの裏汚れ現象が示されている。
手差し給送部５からの記録シートＳに画像転写を行う場合、誤ってサイズ不明の記録シートＳを給送することがある。
この場合の一つとして、画像サイズと記録シートのサイズとが異なり、特に、画像サイズよりも記録シートのサイズ、具体的には記録シートの搬送方向サイズが画像での該当方向サイズ、つまり、転写部で記録紙の搬送方向に沿った方向に移動する方向でのサイズよりも小さい場合がある。
図４（Ａ）は、中間転写ベルト１Ａに担持されている画像が手差し給送部５から給送された記録シートＳに対して転写を開始されてある程度の時間が経過した状態を示しており、この状態では、図３に示した転写バイアスに基づき、中間転写ベルト１Ａ上のトナー（便宜上、符号Ｔ１で示す）が記録シートＳに向けて転移する。
一方、図４（Ｂ）に示すように、記録シートＳの搬送方向（図示矢印方向）でのサイズが画像の該当方向サイズよりも小さいときには、未だ、中間転写ベルト１Ａに画像が残っているにも拘わらず記録シートＳの搬送方向後端は画像部から離れてしまい、中間転写ベルト１Ａ上の未転写トナー（便宜上、符号Ｔ２で示す）が２次転写ローラ３に対向することになる。図３に示した転写バイアスが継続されると、中間転写ベルト１Ａ上のトナーＴ２は、記録シートＳがないために２次転写ローラ３に向けて転移し、２次転写ローラ３表面に付着する。
２次転写ローラ３に付着したトナーＴ２は、図４（Ｃ）に示すように、次に給送される記録シートＳの裏面に再転移して付着し、裏汚れを生じる。
図５は、図４（Ｃ）に示した状態の拡大図であり、中間転写ベルト１Ａ上のトナーは、転写バイアスによる電界の作用を受けて２次転写ローラ３側に向けて移動することになる。
従来、２次転写ローラ３へのトナー付着を解消して記録シートＳの裏汚れを防止する方法としては、２次転写ローラ３に対してクリーニング機構を設けて付着したトナーを除去する機構を設けることや、手差し給送部から給送される記録シートの検知あるいは予めそのサイズを入力して画像サイズとの整合判断を行い、異なっている場合には転写を中断して警告することが考えられるが、機構の付設による装置の大型化や、中断処理のタイミングによっては画像の一部が記録シートに転写されないままとなるなどの不具合を招く虞がある。
以上が従来の画像形成装置における不具合であり、本発明ではこの不具合を解消する点に特徴がある。以下、本発明の実施例について説明する。
本発明は、図１に示した場合と同様に、中間転写ベルト１Ａの展張方向に複数の作像部を備え、さらに、中間転写ベルト１Ａに重畳転写された画像を２次転写ローラ３によって一括転写する構成を対象としている。
図６は、図１に示した画像形成装置における一括転写を行う転写部の構成を示す図である。
図６において、一括転写に用いられる転写装置としては、中間転写ベルト１Ａが掛け回されているローラの一方１Ａ１とこれに対峙する２次転写ローラ３とが用いられ、転写装置には中間転写ベルト１Ａに担持されているトナーを記録シートＳに向けて転移させるための電界を転写部に形成する電界形成装置９が設けられている。
電界形成装置９には転写バイアス切り換え手段９Ａが備えられており、転写バイアス切り換え手段９Ａは、中間転写ベルト１Ａ上のトナーを記録シートＳに向けて転移させる極性を設定されて転写時に印加される転写バイアス（図６（Ａ）参照）と、この転写バイアスとは逆極性を設定されて中間転写ベルト１Ａ側にトナーを吸引できる状態の回収用転写バイアス（図６（Ｂ）参照）とに切り換えができるようになっている。
一方、電界形成装置６に設けられている転写バイアス切り換え手段９Ａは、図７に示す制御部１００により動作制御されるようになっている。
図７において制御部１００は、画像形成シーケンス制御を行う制御部が用いられており、本実施例に関連する部材として、入力側には、図２（Ｂ）に示したように、定型サイズの記録シートを収容するカセットからの記録シートの搬送路と手差し給送部５の手差しトレイ５Ａからの記録シートの搬送路とが合流する位置に設けられているサイズ検知センサ８および給送態位の選択や印字枚数などを含む印字条件設定を指令さらには各種警告表示を行う警報表示部（図示されず）を備えた操作パネル１０１が接続され、出力側には、転写バイアス切り換え手段９Ａおよび作像部での画像形成処理部１０２が接続されている。画像形成処理部１０２は、作像部に設けられている帯電装置や書込装置での耐電特性や書き込みタイミングおよび書込光量設定を行う駆動部や現像装置に装備されているトナー濃度管理部などの駆動部が装備されている。
制御部１００では、手差し給送部５から給送される記録シートの搬送方向サイズと中間転写ベルト１Ａに担持されている画像の該当方向サイズと異なる場合、具体的には、画像サイズよりも記録シートの長さが短い場合には、画像領域において記録シートの存在しない領域が２次転写ローラ３に対向して移動する時間の間、転写時とは異なる転写バイアス、つまり、トナーが記録シートＳ側ではなく中間転写ベルト１Ａ側に転移する極性の回収用転写バイアスに切り換えるようになっている。
このようなサイズの不一致によるバイアス切り換えを行う制御部１００では、予め記録シートＳの搬送方向長さに対応する移動方向での画像領域の長さを画像情報に基づく書込時間などにより登録しておいて、記録シートの搬送速度から搬送方向後端が転写部に到達する時間を割り出し、画像領域よりも記録シートの搬送方向長さが短い場合には、サイズ検知センサ６により記録シートの搬送方向後端が検知された時点から上記転写部に到達する時間経過後に転写バイアスを回収用転写バイアスに切り換える。
図８は、転写バイアス切り換え手段６Ａの動作タイミングを示すタイミングチャートである。
同図に示すように、記録シートが転写部を通過する間は転写バイアス（−２ｋＶ）が印加され、記録シートの搬送方向後端が転写部を通過すると回収用転写バイアス（＋２ｋＶ）に切り換える。
以上のような実施例においては、手差し給送部５から誤ってサイズ不明の記録シートが給送され、その記録シートが画像サイズよりも小さい場合には、記録シートが存在しない画像領域での転写バイアスがトナーを中間転写ベルト１Ａ側に転移させて回収する特性に切り換えられるだけで２次転写ローラ３へのトナーの転移が抑制される。このため、２次転写ローラ３を対象としたクリーニング機構などを設ける必要がない。これにより、特別な機構を付設することが原因となる装置の大型化を防止することができる。
しかも、２次転写ローラ３へのトナ付着を防止するタイミングが中間転写ベルト１Ａに担持されている画像形成領域内であるので、画像形成領域が転写部を通過した後、２次転写ローラのクリーニング処理を行う必要もなく、換言すれば一画像形成領域が転写部を通過する間に２次転写ローラへのトナー付着防止策が採られることで転写時間以外にクリーニングのための時間を設定しないで済むので、画像形成サイクルが不用意に長くなるのを防止できる。
特に、２次転写ローラ３へのトナー付着を防止する際には、通常の画像転写時と同様に、記録シートを挟持搬送できるように、中間転写ベルト１Ａに対して２次転写ローラ３が当接した状態を維持しているので、記録シートの搬送性が変化することがない。
次に本発明の別実施例ついて説明する。  
本実施例は、手差し給送部５から連続して記録シートＳが給送された場合、特に、画像サイズに対して搬送方向サイズが小さい記録シートが連続して給送された場合の処理を特徴としている。
つまり、制御部１００では、図９に示すフローチャートに基づく処理が実行される。
図９において、手差しトレイ５Ａからの記録シートを用いた連続印刷信号が制御部１００に入力されると、制御部１００では画像形成処理部１０１に対しては連続印刷指令のための信号が出力される（ＳＴ１、ＳＴ２）。
手差し給送部５からの記録シートの連続給送が開始されると（ＳＴ３）、サイズ検知センサ８により記録シートの搬送方向サイズが検知される（ＳＴ４）。
サイズ検知において、例えば、搬送される記録シートの搬送方向サイズが画像における該当方向サイズよりも小さい場合を検知すると（ＳＴ５）、画像が存在しているにも拘わらず、記録シートが存在しない画像領域を対象として制御部１００では、図６（Ｂ）において示したように、転写バイアス切り換え手段９Ａが転写バイアスから回収用転写バイアスを設定する状態に切り換えられる（ＳＴ６）。
一方、回収用転写バイアスが設定されると共に、画像形成処理およびこれ以降の手差しトレイ５Ａからの記録シートの給送が中断され（ＳＴ７）、中断対象となる前の記録シート、つまり、画像転写が行われた記録シートおよび中断対象となった記録紙とをそれぞれ排出する（ＳＴ８）。ステップＳＴ７の処理は、連続給送時に画像形成処理を中断した時点で既に手差しトレイ５Ａから記録シートの繰り出しが行われている場合を考慮したものであり、これにより、画像形成処理中断時に繰り出された記録シートには画像転写が行われないままで排出されることになる。
中断時には、記録シートのサイズが画像サイズと異なることを警告し（ＳＴ９）、オペレータが警告に従い、画像サイズに対応したサイズの記録シートと置き換えて手差し給送部５からの給送を再開する指令を入力すると（ＳＴ１０）、再度、記録シートのサイズ検知が行われ（ＳＴ１１）、画像と記録シートのサイズ同士が一致している場合に限って手差し給送部５からの記録シートを対象とした画像転写が再開される（ＳＴ１２）。
本実施例においては、オペレータが記録シートのサイズと画像サイズとが異なっていることを認知していない場合に警告してサイズ同士の整合を採るよう促すことができると共に、記録シートにおいて一部が欠損した画像の転写が生じるのを防止して無駄な印字を行うことが防止されることになる。
次に本発明のさらに別の実施例について説明する。
本実施例は、図９に示した処理において中断後の印字開始時の処理に特徴がある。つまり、印字が中断されると、その後、印字が再開された時点での画像は、中断された時点の次の画像から開始されてしまう虞があるので、本実施例では中断された際の画像を対象として再開するようになっている。
図１０は、この処理を示すフローチャートである。
図１０において、手差し給送部５からの連続給送により２枚目までの記録シートの搬送方向サイズが画像における該当方向サイズと一致しており、３枚目の記録シートの搬送方向サイズが画像サイズと違って小さい場合には、図９において説明したように画像形成が一旦停止された後、オペレータにより記録シートのサイズ更正が行われて印字（画像形成処理）の再開指令が指されると、３枚目の画像を対象として再開後に給送される記録シートに対して転写を行う。これにより、連続給送された記録シートの一部に画像欠損などの不具合のある画像が転写されていても、印字再開時に排出される最初の記録シートには、画像欠損を生じていた画像が正しい状態で転写されることになるので、仮に、画像欠損の生じた記録シートを見落とした場合でも正常な画像転写が行われた複数の記録シートを得ることができる。
【符号の説明】
【００１４】
１  画像形成装置
１Ａ  中間転写ベルト
３  ２次転写ローラ
４  給紙装置
５  手差し給送部
８  サイズ検知センサ
９  電界形成装置
９Ａ  転写バイアス切り換え手段
１００  制御部
１０１  操作パネル
１０２  画像形成処理部
【先行技術文献】
【特許文献】
【００１５】
【特許文献１】特開平０３−６９９７８号公報
【特許文献２】特開２００５−７０７５０号公報
【図１】
2012118136.tif 000003
【図２】
2012118136.tif 000004
【図３】
2012118136.tif 000005
【図４】
2012118136.tif 000006
【図５】
2012118136.tif 000007
【図６】
2012118136.tif 000008
【図７】
2012118136.tif 000009
【図８】
2012118136.tif 000010
【図９】
2012118136.tif 000011
【図１０】
2012118136.tif 000012